(57)【要約】      （修正有）【課題】スポーツ用具の突起のあるグリップを握ると、その用具の保持力を高め作業用具、杖類、手すり等では更に安全性を増すことができる。【解決手段】スポーツ用具及び作業用具のグリップ（２）にゴム或は合成樹脂で作った突起を数個設け、手のひら、指（１２〜１６）との接触面積が広くなることによりその用具や工具の保持力、滑り防止、安全性を高めることを特徴とする突起のあるグリップ。【選択図】  図２
2005013683.tif 000002
【特許請求の範囲】
【請求項１】
突起（５〜１１）数個を、各人の指（１２〜１６）のサイズ（ａ〜ｅ）に合わせて設けたグリップ（２）を握ると、手のひら及び各指（１２〜１６）の側面の接触により、その接触面積が広くなり、保持力が増すことを特徴とする突起のあるグリップ。図１〜１１
【請求項２】
突起（５〜１１）数個を、一個毎にグリップシャフト（４）に指のサイズ（ａ〜ｅ）、各人のグリップサイズ（Ｘ・Ｙ・Ｚ）に合わせることを特徴とする突起のあるグリップの製法、更に大量生産方式としてグリップサイズ（Ｘ・Ｙ・Ｚ）に対応して指（１２〜１６）のサイズ（ａ〜ｅ）を数種類に分けて標準化したうちより各人が選べることを特徴とする突起のあるグリップの製法。図２〜５
【請求項３】
突起（５〜１１）とグリップシャフト（４）に入れる筒状（１７）を一体成型し、フレーム（１）側数個は筒状（１７）のみを作りグリップシャフト（４）に固定する、更に突起（５〜１１）と筒状（１７）を一体成型したものを数個作り、指（１２〜１６）のサイズ（ａ〜ｅ）に合わせて順次挿入することより、各人のグリップサイズ（Ｘ・Ｙ・Ｚ）に合わせることを特徴とする突起のあるグリップの製法。更に大量生産方式としてグリップサイズ（Ｘ・Ｙ・Ｚ）、指（１２〜１６）のサイズ（ａ〜ｅ）を数種類に分けて標準化したうちより各人が選べることを特徴とする突起のあるグリップの製法。図６７
【請求項４】
大量生産方式として突起（５〜１１）数個と指（１２〜１６）のサイズ（ａ〜ｅ）、グリップサイズ（Ｘ・Ｙ・Ｚ）を合わせ数種類に分けて標準化したものとグリップシャフト（４）に入れる筒状（１７）とを一体成型した袋状（１８）のものを作りグリップシャフト（４）に挿入する、数種類に分けて標準化したうちより各人が選べることを特徴とする突起のあるグリップの製法。図８，９
【請求項５】
部品を少なくする目的でグリップシャフト（４）の材料に突起（５〜１１）数個を指（１２〜１６）のサイズ（ａ〜ｅ）、グリップサイズ（Ｘ・Ｙ・Ｚ）に合わせて、一体成型し、数種類に分けて標準化したその中から各人が選べることを特徴とする突起のあるグリップの製法。図１０１１
【請求項６】
従来品のグリップ（２）の外周に突起（５〜１１）数個を指（１２〜１６）のサイズ（ａ〜ｅ）に合わせてそのまま固定する、またグリップレザー（２１）を巻きほどいてグリップシャフト（４）に突起（５〜１１）数個を指（１２〜１６）のサイズ（ａ〜ｅ）に合わせて固定し、その外周にグリップレザー（２１）を巻きつけるグリップ（２）のサイズ（Ｘ・Ｙ・Ｚ）を微調整するためにグリップテープ（２０）をまきつけることを特徴とする請求項２に準ずる突起のある製法。図２〜５
【発明の詳細な説明】
【０００１】
【発明の属する技術分野】
この発明はグリップ（２）の外周に突起（５〜１１）数個、設けた硬式テニスラケットに関するものである、またスポーツ用具の軟式テニスラケット、バトミントンラケット、卓球ラケット、野球バット、スキーストック、和・洋弓の弓、ゴルフクラブ、釣具、棒高跳びのバー、槍投げの各グリップ、更に安全性をもとめられる杖類、浴室、階段、病院、乗物、の手すり等のグリップ及び作業工具のハンドドリル、エアーハンマーにも利用できる。
【０００２】
【従来の技術】
（イ）  テニスラケットのフレーム（１）の材質及び形状、大きさ、質量、ガット（３）の種類、張り強さ、グリップ（２）のサイズは変更改良され、種類も多くなりましたが、グリップ（２）の断面八角形図１４は変化なく、その外周にグリップレザー（２１）及び指サイズ（ａ〜ｅ）に合わせる目的で調整用にグリップテープ（２０）を各人がラケット購入後に巻きつけて使用している。
（ロ）  登録実用新案公報、考案の名称、ラケットのグリップの構造、実用新案登録番号３０２９２３９、登録日平成８年（１９９６）７月１０日、出願日平成８年（１９９６）２月８日、実用新案権者５９３２０７８６８、株式会社エディ、東京都世田谷区下馬１丁目３２番１０号、考案者伊良原永三郎。
課題としてテニスラケット等のラケットのグリップにおいて、グリップを握る際に滑りを発生し難くして握り力（グリップ力）を高めつつ、握り易くする。
解決手段として、ラケットのグリップ形成端部の外皮を形成するテープを利用してグリップ外周面に凸部と凹部が交互に夫々螺旋状をなして形成されるようにした。
考案の成果として、グリップを握る際に滑りが発生し難くなり、握る力（グリップ力）がアップし、しかも凸部と凹部間の段差を適度に設定できるから、グリップが握り易くなるという利点がある。
従来より、グリップ（２）について多くの提案がなされましたが、しかし、大量生産方式により、各人が満足する経済的なものは今だ使用されていません。
【０００３】
【発明が解決しようとする課題】
従来品は次のような欠点がありました。
（イ）  グリップ（２）を握ったとき、各指（１２〜１６）と手のひらの内側のみで接触するため、打球の際ラケットの保持力が弱く、スピードのある返球ができず、ラケットのぐらつきを生じたり、またグリップ（２）でのすべりもあり満足した返球が困難でした。
（ロ）  発汗の激しい場合は、体力の消耗と重なりラケットが手から外れることがある。
（ハ）  手の大きさ、グリップ力は個人差が大きく、全ての人が満足できるラケットの製作は困難ですが、非力な人でも今より少しでも上達したい、プロの人においても更なる球速のスピードアップ、安定した返球が望まれている。
本発明はこれらの欠点を解決するためのものである。
【０００４】
【課題を解決するための手段】
グリップシャフト（４）に合成樹脂で作った突起（５〜１１）数個を各指（１２〜１６）のサイズ（ａ〜ｅ）に合わせて固定し、その外周にグリップテープ（２０）を巻きつけたものである。突起数個の製法、固定わ特許請求項２〜６による。
【０００５】
【発明実施の形態】
各指（１２〜１６）のサイズ（ａ〜ｅ）に合わせて、７個設けた突起（５〜１１）をもつグリップ（２）を握ると、手のひらと各指（１２〜１６）５本との接触面積が約４０％広くなりその増加分、抵抗と振動の吸収が単位面積当たり小さくなる。
その請求項と実施例を各図について以下説明する。
（イ）  図１はグリップシャフト（４）に突起（５〜１１）数個を、請求項１によりその接触面積が広くなり、保持力が増すことを特徴とする突起のあるグリップを持つテニスラケット（１８）の正面全体図である。
図２は突起（５〜１１）のあるグリップ（２）を握った際の指（１２〜１６）、との接接触面積が広いことが明らかになり、グリップ（２）の保持力が増すことを特徴とする突起のあるグリップを持つ正面一部断面図である。
図３は指（１２〜１６）のサイズ（ａ〜ｅ）を測る要領図で、現在と同じくラケットの種類、グリップサイズ（Ｘ・Ｙ・Ｚ）、ガットの種類及び張り強さを決める際に各人の指（１２〜１６）のサイズ（ａ〜ｅ）も測り、完成後に各人に、渡す。
本構造では各人の指のサイズに合わすことを特徴とする突起のあるグリップの製法となる右手の寸法測定要領図である。
図４は図２のグリップシャフト（４）、突起（５〜１１）、指（１２〜１６）のサイズ（ａ〜ｅ）、グリップテープ（２０）の関係を示す請求項２の突起のあるグリップの正面一部断面図である。
更に大量生産方式として突起（５〜１１）、指（１２〜１６）のサイズ（ａ〜ｅ）、グリップサイズ（Ｘ・Ｙ・Ｚ）を合わせ、数種類に分けて標準化してその中から各人が選ぶことを特徴とする突起のあるグリップの製法である。
図５はグリップシャフト（４）の断面八角形に設けた突起（５〜９）と（１０１１）、グリップテープ（２０）、グリップサイズ（Ｘ・Ｙ・Ｚ）の関係を示す突起のあるグリップ製法を理解しやすくする為の断面図である。
（ロ）  図６はグリップシャフト（４）に突起（５〜１１）の組付けを簡単にする為にグリップシャフト（４）に挿入する（フレーム）側の筒状（１７）を数個先、に組付け、次に突起（５〜１１）１〜２個と筒状（１７）の一部とを形成する部分とを一体成型したものを数個作り、指（１２〜１６）のサイズ（ａ〜ｅ）及びグリップサイズ（Ｘ・Ｙ・Ｚ）に合わせ、グリップシャフト（４）に順次組み付けその外周にグリップテープ（２０）を巻き付けた、指のサイズ及びグリップサイズを各人に合わせることを特徴とする請求項３の突起のあるグリップの製法を示す正面一部断面図である。
大量生産方式として突起（５〜１１）、指（１２〜１６）のサイズ（ａ〜ｅ）、グリップサイズ（Ｘ・Ｙ・Ｚ）を合わせ、数種類に分けて標準化してその中から各Ｋが選べることを特徴とする突起のあるグリップの製法を示す正面一部断面図である。
図７はグリップシャフト（４）の断面八角形に設けた突起（５〜９）と（１０、１１）及び筒状（１７）、グリップテープ（２０）、グリップサイズ（Ｘ・Ｙ・Ｚ）の関係を示す突起のあるグリップの製法を理解しやすくする為の断面図である。
（ハ）  図８は図４、６図より更に部品点数を少なくする目的の大量生産方式として突起（５〜１１）数個を指（１２〜１６）のサイズ（ａ〜ｅ）、筒状（１７）、グリップサイズ（Ｘ・Ｙ・Ｚ）を合せ、数種類に分けて標準化して一体成型した袋状（１８）を作り、その中から各人が選べることを特徴とする請求項４の突起のあるグリップの製法を示す正面一部断面図である。
本構造は一体成型品をグリップシャフト（４）に組付けは簡単な製法とんなる。
図９はグリップシャフト（４）の断面八角形に設けた突起（５〜１１）数個、グリップサイズ（Ｘ・Ｙ・Ｚ）、筒状（１７）、グリップテープ（２０）の関係を示す突起のあるグリップの製法の断面図である。
（ニ）  図１０は大量生産方式による部品点数を少なくする目的でグリップシャフト（４）の材料に突起（５〜１１）数個、指（１２〜１６）のサイズ（ａ〜ｅ）、グリップサイズ（Ｘ・Ｙ・Ｚ）に合せ、数種類に分けて標準化したものを一体成型した請求項５による突起のあるグリップの中から各人が選べることを特徴とする製法を示す正面一部断面図である。
（ホ）  図１１はグリップシャフト（４）の断面八角形と突起（５〜１１）数個、を一体成型したグリップサイズ（Ｘ・Ｙ・Ｚ）、グリップテープ（２０）、指（１２〜１６）のサイズ（ａ〜ｅ）の関係を示す突起のあるグリップの製法の断面図である。
本構造は一体成型品をグリップシャフト（４）に組付けは簡単になる。
（ヘ）  図１２は従来品の正面全体図である。
図１３は従来品のグリップ（２）を右手にて握った場合の正面一部断面図である。
図１４は従来品のグリップシャフト（４）及びグリップレザー（２１）の関係を示す断面図である。
（ト）  図１５は本考案の突起（５〜１１）７個を設けることにより、従来品と約４０％その接触面積が広くなることを証明する為に右手のひら及び指（１２〜１６）の両側に黒色インクを塗布して、本考案のグリップ（２）を握るとグリップテープ（２０）に付着した黒色インクの斜線部５箇所を示した正面図である。
図１６は図１５の平面図である。
図１７は図１５の背面図である。
（チ）  図１８は図１５〜１７の要領で黒色インクの付着したグリップテープ（２０）を巻きほどいた全長約１０５０ｍｍを約３分割した斜線部がその接触面積を表したものである。
図１９は図１５〜１７と同要領で従来品の接触面積を表したものである。
その接触面積が約４０％広くなった本発明のグリップ（２）にグリップテープ（２０）を巻きつけた状態で、右手のひら及び各指（１２〜１６）の内、側面に黒色インクを塗布した後、グリップ（２）を握り黒色インクのついたグリップテープ（２０）を巻きほどいて、その面積を作図により比較、算出し、その接触面積が広いことを証明しました。
（リ）  図２０は実用新案登録請求のラケットのグリップ形成端部１外周面に直接若しくはクッション材を介して螺旋状に巻回して貼着される所定の厚みと幅と長さを有する細長いテープ２の長手方向の両側端部のうち一方のみの内面を略テーパ状をなす面２ａに形成し、テープ２の巻回状態でテープ２の隣り合う側端部同士が重なり合うようにし、テープ２の巻回状態において、テープ２表面の重合部に相当する部位に凸部４が、非重合部に相当。する部位に凹部５が交互に夫々螺旋状をなして形成されるようにした。
従来より、グリップ（２）について多くの提案がなされましたが、しかし大量生産方式により、各人が満足する経済的なものは今だ使用されれてません。
【０００６】
【実施例】
従来品のラケットのグリップレザー（２１）を巻きほどいて、自作の突起（５〜１１）７個を合成樹脂で約６０分の時間で作り、グリップシャフト（４）に指（１２〜１６）のサイズ（ａ〜ｅ）に合わせて固定し、市販のグリップテープ費約３００円、を巻き付けて目作出来たことより製作技術も簡単で、安価なことを特徴とする突起のあるグリップの請求項６に準じた製法である。
【０００７】
【発明の効果】
（イ）  本発明のテニスラケットを握ると、手のひら、指との接触面積が約４０％広くなり、従来通りに握ってもその分グリップ力がアップしラケットの保持力が増加するため打球のスピードが速く安定度も良くなる。その結果、強力な返球ができるようになり、攻撃的テニスを生み出すことができる。
（ロ）  発汗の激しいプレー中に手の中でラケットがすべったり、ひどい時には保持している手のひらからはずれるということを防止できる。
以上の効果を更に増すためにグリップテープ（２０）、グリップレザー（２１）の材質を更にやわらかくし、伸縮性や汗の吸収性に富んだ長寿命品及び突起（５〜１１）と手のひら、各指（１２〜１６）に適合する開発品が望まれる。
【図面の簡単な説明】
【図１】本発明のグリップ（２）を設けたテニスラケットの正面図である。
【図２】本発明のグリップ（２）を設けたテニスラケットを握った正面一部断面図である。
【図３】本発明のグリップ（２）に設けた突起（５〜１１）７個の指（１２〜１６）のサイズ（ａ〜ｅ）の測定位置を示す。
【図４】本発明のグリップ（２）に突起（５〜１１）を７個、指（１２〜１６）のサイズ（ａ〜ｅ）に合わせて固定し、その外周にグリップテープ（２０）を巻きつけた図２の正面一部断面図である。
【図５】本発明の図２のグリップ（２）の断面図である。
【図６】本発明の突起（５〜１１）と筒状（１７）を一体成型したものを数個作り、グリップシャフト（４）に挿入し、その外周にグリップテープ（２０）を巻き付けた請求項２の正面一部断面図である。
【図７】本発明の図６のグリップ（２）の断面図である。
【図８】グリップシャフト（４）に突起（５〜１１）数個と筒状（１７）とを一体成型した袋状のものをグリップシャフト（４）に挿入し、グリップテープ（２０）を巻きつけた請求項４の正面一部断面図である。
【図９】本発明の図８のグリップ（２）の断面図である。
【図１０】グリップシャフト（４）の材料に突起（５〜１１）数個を指（１２〜１６）のサイズ（ａ〜ｅ）、グリップサイズ（Ｘ・Ｙ・Ｚ）に合わせ、一体成型し、数種類に分けて標準化してその中から各人が選ぶことを特徴とする突起のあるグリップの製法を示す正面一部断面図である。
【図１１】本発明の図１０のグリップ（２）の断面図である。
【図１２】従来品の正面図である。
【図１３】従来品のテニスラケットを握った正面一部断面図である。
【図１４】従来品の図１２のグリップ（２）の断面図である。
【図１５】手のひら及び各指に黒色インクを塗布して、本発明のグリップ（２）を握っ正面の着色部である。
【図１６】本発明の図１５の平面の着色部である。
【図１７】本発明の図１５の背面の着色部である。
【図１８】本発明のグリップ（２）を握った時の接触面積
【図１９】従来品のグリップ（２）を握った時の接触面積
【図２０】実用新案登録請求のラケットのグリップ形成端部（Ａ）は側面図、（Ｂ）は断面図である。
【符号の説明】
１．フレーム                            ８．突起
２．グリップ                            ９．突起
３．ガット                              １０．突起
４．グリップシャフト                    １１．突起
５．突起                                １２．人差し指
６．突起                                １３．中指
７．突起                                １４．薬指
１５．小指                              ａ．親指サイズ
１６．親指                              ｂ．人差し指サイズ
１７．筒状                              ｃ．中指サイズ
１８  テニスラケット                    ｄ．薬指サイズ
２０．グリップテープ                    ｅ．小指サイズ
２１．グリップレザー                    Ｘ．グリップシャフト縦寸法
Ｙ．グリップシャフト横寸法
Ｚ．グリップ（２）の外周長さ
２２登録実用新案公報の符号の説明
２ａ  略テーパ状をなす面                Ｇ  グリップ
２ｂ  略直角な面                        １  グリップ形成端部
３  両面テープ                          ２  テープ
４  凸部                                ２Ａ  外被材
５  凹部                                ２Ｂ  クッション材
【図１】
2005013683.tif 000003
【図２】
2005013683.tif 000004
【図３】
2005013683.tif 000005
【図４】
2005013683.tif 000006
【図５】
2005013683.tif 000007
【図６】
2005013683.tif 000008
【図７】
2005013683.tif 000009
【図８】
2005013683.tif 000010
【図９】
2005013683.tif 000011
【図１０】
2005013683.tif 000012
【図１１】
2005013683.tif 000013
【図１２】
2005013683.tif 000014
【図１３】
2005013683.tif 000015
【図１４】
2005013683.tif 000016
【図１５】
2005013683.tif 000017
【図１６】
2005013683.tif 000018
【図１７】
2005013683.tif 000019
【図１８】
2005013683.tif 000020
【図１９】
2005013683.tif 000021
【図２０】
2005013683.tif 000022